(57)【要約】      （修正有）【課題】画像表示装置の状態もしくは画像表示装置の環境にあわせて、電力状態の切替を行うことができる画像表示装置、画像投影システムを提供する。【解決手段】ネットワークを介して通信可能な画像表示装置であって、消費電力を抑えた省エネルギ状態の移行を行う省エネルギ状態移行手段と、前記画像表示装置の状態または、前記画像表示装置の環境にしたがって省エネルギ状態へ移行するまでの時間を設定する移行時間設定手段と、前記画像表示装置にデータの入力があるか否かを検知するデータ入力検知手段と、前記画像表示装置にユーザによる操作が行われたか否かを検知する操作検知手段と、前記省エネルギ状態移行手段は、前記データ入力検知手段にてデータの入力が検知されてない、及び前記操作検知手段にてユーザによる操作が検知されない場合で、かつ省エネルギ状態へ移行するまでの時間を経過した場合に消費電力を抑えた省エネルギ状態へ移行する。【選択図】図４
2015141373.tif 000002
【特許請求の範囲】
【請求項１】
ネットワークを介して通信可能な画像表示装置であって、
消費電力を抑えた省エネルギ状態への移行を行う省エネルギ状態移行手段と、
前記画像表示装置の状態または環境にしたがって省エネルギ状態へ移行するまでの時間を設定する移行時間設定手段と、
前記画像表示装置にデータの入力があるか否かを検知するデータ入力検知手段と、
前記画像表示装置にユーザによる操作が行われたか否かを検知する操作検知手段と
を有し、
前記省エネルギ状態移行手段は、
前記データ入力検知手段にてデータの入力が検知されてない、及び前記操作検知手段にてユーザによる操作が検知されてない場合で、かつ前記移行時間設定手段にて設定された省エネルギ状態へ移行するまでの時間を経過した場合に消費電力を抑えた省エネルギ状態へ移行する
ことを特徴とした画像表示装置。
【請求項２】
請求項１に記載の画像表示装置において、
前記画像表示装置が通信を行える状態にあるか否かを判断する通信可否判断手段を更に有し、
前記画像表示装置の状態または環境は、
前記画像表示装置が通信を行える状態にあるか否かという前記画像表示装置の状態を含み、
前記移行時間設定手段は、
前記通信可否判断手段による判断結果にしたがって省エネルギ状態へ移行するまでの時間を設定することを特徴とした画像表示装置。
【請求項３】
請求項２に記載の画像表示装置において、
ネットワーク上に前記画像表示装置を操作可能な通信装置が存在するか否かを検索する通信装置検索手段を更に有し、
前記画像表示装置の状態または環境は、
ネットワーク上に前記画像表示装置を操作可能な通信装置が存在するか否かという前記画像表示装置の環境を更に含み、
前記移行時間設定手段は、
前記通信可否判断手段による前記画像表示装置が通信を行える状態にあるか否かの判断と、前記通信装置検索手段によるネットワーク上に前記画像表示装置を操作可能な通信装置が存在するか否かの検索結果にしたがって省エネルギ状態へ移行するまでの時間を設定する
ことを特徴とした画像表示装置。
【請求項４】
請求項２に記載の画像表示装置において、
省エネルギ状態では実行できない処理の実行を要求するデータを所定の期間内に受信したか否かを判断する実行要求データ受信判断手段を更に有し、
前記画像表示装置の状態または環境は、
省エネルギ状態では実行できない処理の実行を要求するデータを受信したか否かという前記画像表示装置の状態を更に含み、
前記移行時間設定手段は、
前記通信可否判断手段による前記画像表示装置が通信を行える状態にあるか否かの判断と、前記実行要求データ受信判断手段による省エネルギ状態では実行できない処理の実行を要求するデータを所定の期間内に受信したか否かの判断結果にしたがって省エネルギ状態へ移行するまでの時間を設定する
ことを特徴とした画像表示装置。
【請求項５】
請求項２に記載の画像表示装置において、
省エネルギ状態では実行できない処理を実行途中、もしくは実行する予約があるか否かを確認する処理状況確認手段を更に有し、
前記画像表示装置の状態または環境は、
省エネルギ状態では実行できない処理を実行途中、もしくは実行する予約があるか否かという前記画像表示装置の状態を更に含み、
前記移行時間設定手段は、
前記通信可否判断手段による前記画像表示装置が通信を行える状態にあるか否かの判断と、前記処理状況確認手段による省エネルギ状態では実行できない処理を実行途中もしくは実行する予約があるか否かの確認結果にしたがって省エネルギ状態へ移行するまでの時間を設定する
ことを特徴とした画像表示装置。
【請求項６】
請求項１に記載の画像表示装置において、
前記画像表示装置が備えるランプの最大使用可能時間と、前記ランプの使用時間の累計値とからランプの残りの使用可能時間を算出する使用可能時間算出手段を更に有し、
前記画像表示装置の状態または環境は、
前記画像表示装置が備えるランプの使用可能時間という前記画像表示装置の状態を含み、
前記移行時間設定手段は、
前記使用可能時間算出手段によって得られたランプの残りの使用可能時間にしたがって省エネルギ状態へ移行するまでの時間を設定する
ことを特徴とした画像表示装置。
【請求項７】
請求項１に記載の画像表示装置において、
所定の時間ごとに区切った時間帯単位で省エネルギ状態で実行できない処理の処理回数を記憶する記憶手段を更に有し、
前記画像表示装置の状態または環境は、
所定の時間ごとに区切った時間帯単位で省エネルギ状態で実行できない処理の処理回数という前記画像表示装置の環境を含み、
前記移行時間設定手段は、
前記記憶手段によって記憶された所定の時間ごとに区切った時間帯単位で省エネルギ状態で実行できない処理の処理回数にしたがって省エネルギ状態へ移行するまでの時間を設定する
ことを特徴とした画像表示装置。
【請求項８】
請求項１から７のいずれか一項に記載の画像表示装置において、
前記省エネルギ状態移行手段は、実行を制限する機能ごとに異なる省エネルギ状態を有し、
移行させる省エネルギ状態を指定する移行先指定手段を更に有し、
前記移行時間設定手段は、
前記移行先指定手段によって指定された省エネルギ状態と、前記画像表示装置の状態または環境にしたがって省エネルギ状態へ移行するまでの時間を設定する
ことを特徴とした画像表示装置。
【請求項９】
ネットワークを介して通信可能な画像表示装置を含む画像表示システムにおいて、
前記画像表示装置を、消費電力を抑えた省エネルギ状態へ移行させる省エネルギ状態移行手段と、
前記画像表示装置の状態または環境にしたがって省エネルギ状態へ移行するまでの時間を、ネットワークを介して接続される前記画像表示装置へ設定する移行時間設定手段と、
前記画像表示装置にデータの入力があるか否かを検知するデータ入力検知手段と、
前記画像表示装置にユーザによる操作が行われたか否かを検知する操作検知手段と、
前記省エネルギ状態移行手段は、
前記データ入力検知手段にてデータの入力が検知されてない、及び前記操作検知手段にてユーザによる操作が検知されない場合で、かつ前記移行時間設定手段にて設定された省エネルギ状態へ移行するまでの時間を経過した場合、ネットワークを介して接続される前記画像表示装置が省エネルギ状態へ移行することを特徴とした画像表示システム。
【発明の詳細な説明】
【技術分野】
【０００１】
本発明は、画像表示装置、画像表示システムの消費電力制御に関する。
【背景技術】
【０００２】
近年、エネルギ資源の高騰を受けての電気料金の値上げなどに伴い、会社や家庭内で利用する機器の省エネ化が求められている。
【０００３】
従来の画像投影装置では、消費電力を小さくするため、ユーザの操作がなく、一定時間の無信号の状態が続くと画像投影装置の消費電力を抑えるために機能を制限する電力状態（省エネモード）に移行する技術が既に知られている（例えば、特許文献１などを参照）。
【発明の概要】
【発明が解決しようとする課題】
【０００４】
上述したように、一定時間の無信号状態により省エネモードに移行する技術が知られているが、ユーザの利用シーンによって画像投影装置の無信号期間は異なる。例えばＵＳＢケーブルによって画像投影装置へデータ入力を行っている場合、ケーブルを挿すだけでデータ入力を行えるので画像投影装置の無信号期間はネットワークを介してデータ入力を行う場合より短い。一方、ネットワークを介して画像投影装置へデータ入力を行っている場合、接続する端末側でネットワークの設定が必要になるため、ＵＳＢケーブルなどによってデータ入力を行う場合より無信号期間は長い。
【０００５】
しかしながら、画像投影装置を省エネモードへ移行させる従来の技術は、省エネモードに移行するまでの時間が単一であった。そのため、省エネモードへ移行するまでの時間が長すぎるために無駄な電力消費が発生したり、省エネモードへ移行するまでの時間が短いために画像投影装置を使用する直前に省エネモードへ移行してしまう問題があった。なお、画像表示装置においても画像投影装置と同一の問題があった。
【０００６】
本発明は、上記の従来の問題点に鑑み提案されたものであり、その目的とするところは、画像表示装置の状態もしくは環境にあわせて、電力状態の切替を行うことができる画像表示装置、画像表示システムを提供することにある。
【課題を解決するための手段】
【０００７】
上記課題を解決するため、本発明にあっては、ネットワークを介して通信可能な画像表示装置であって、消費電力を抑えた省エネルギ状態の移行を行う省エネルギ状態移行手段と、前記画像表示装置の状態または、前記画像表示装置の環境にしたがって省エネルギ状態へ移行するまでの時間を設定する移行時間設定手段と、前記画像表示装置にデータの入力があるか否かを検知するデータ入力検知手段と、前記画像表示装置にユーザによる操作が行われたか否かを検知する操作検知手段と、前記省エネルギ状態移行手段は、前記データ入力検知手段にてデータの入力が検知されてない、及び前記操作検知手段にてユーザによる操作が検知されない場合で、かつ省エネルギ状態へ移行するまでの時間を経過した場合に消費電力を抑えた省エネルギ状態へ移行する。
【発明の効果】
【０００８】
本発明のある態様によると、画像表示装置の状態もしくは環境にあわせて、電力状態の切替を行うことができる。
【図面の簡単な説明】
【０００９】
【図１】本発明の実施形態に係る画像投影システムの構成例を示した図である。
【図２】本発明の実施形態に係る画像投影装置のハードウエアの構成例を示すブロック図である。
【図３】本発明の実施形態に係る情報処理装置のハードウエアの構成例を示すブロック図である。
【図４】実施例１に係る画像投影装置の機能構成例を示すブロック図である。
【図５】実施例１に係る省エネモードへ移行するまでの時間を設定する際に用いられるデータの構成例を示す図である。
【図６】実施例１に係る省エネモード移行タイマーを設定するまでの流れを示したシーケンス図である。
【図７】実施例１に係る通常モードから省エネモードへ移行するまでの処理手順を示すフローチャートである。
【図８】実施例１に係る省エネモードから通常モードへ移行するまでの処理手順を示すフローチャートである。
【図９】実施例１の１に係る画像投影装置の機能構成例を示すブロック図である。
【図１０】実施例１の１に係る省エネモードへ移行するまでの時間を設定する際に用いられるデータの構成例を示す図である。
【図１１】実施例１の１に係る省エネモード移行タイマーを設定するまでの流れを示したシーケンス図である。
【図１２】実施例１の２に係る画像投影装置の機能構成例を示すブロック図である。
【図１３】実施例１の２に係る省エネモードへ移行するまでの時間を設定する際に用いられるデータの構成例を示す図である。
【図１４】実施例１の２に係る省エネモード移行タイマーを設定するまでの流れを示したシーケンス図である。
【図１５】実施例１の３に係る画像投影装置の機能構成例を示すブロック図である。
【図１６】実施例１の３に係る省エネモードへ移行するまでの時間を設定する際に用いられるデータの構成例（その１）を示す図である。
【図１７】実施例１の３に係る省エネモードへ移行するまでの時間を設定する際に用いられるデータの構成例（その２）を示す図である。
【図１８】実施例１の３に係る省エネモード移行タイマーを設定するまでの流れを示したシーケンス図である。
【図１９】実施例１の３に係る通常モードから省エネモードへ移行する処理手順を示すフローチャートである。
【図２０】実施例１の３に係る省エネモードから通常モードへ移行する処理手順を示すフローチャートである。
【図２１】実施例２に係る画像投影装置の機能構成例を示すブロック図である。
【図２２】実施例２に係る省エネモードへ移行するまでの時間を設定する際に用いられるデータの構成例を示す図である。
【図２３】実施例２に係る省エネモード移行タイマーを設定するまでの流れを示したシーケンスである。
【図２４】実施例３に係る画像投影装置の機能構成例を示すブロック図である。
【図２５】実施例３に係る省エネモードへ移行するまでの時間を設定する際に用いられるデータの構成例を示す図である。
【図２６】実施例３に係る省エネモード移行タイマーを設定するまでの流れを示したシーケンスである。
【図２７】実施例４に係る画像投影装置の機能構成例を示すブロック図である。
【図２８】実施例４に係る省エネモードへ移行するまでの時間を設定する際に用いられるデータの構成例を示す図である。
【図２９】実施例４に係る省エネモード移行タイマーを設定するまでの流れを示したシーケンスである。
【発明を実施するための形態】
【００１０】
以下、本発明の好適な実施の形態について図面を用いて詳細に説明する。
【００１１】
図１は、本発明の実施の形態に係る画像投影システムの構成例を示した図である。画像投影システムは、図１（ａ）に示すように画像投影装置１と、情報処理装置３とがＬＡＮ（Local Area Network）などのネットワーク２を経由してデータ伝送可能に接続されるか、図１（ｂ）に示すようにＵＳＢ（Universal Serial Bus）などのデータ伝送路４を経由してデータ伝送可能に接続される。
【００１２】
画像投影装置１は、データ伝送路を介して受信した画像データの投影などを行う。なお、画像投影装置１は画像投影装置に限らず、ＭＦＰやスマートデバイスなどの画像表示装置であってもよい。情報処理装置３は、例えば、ＰＣ（Personal Computer）、スマートフォン、タブレットＰＣなどであり、画像投影装置１に投影する画像データの送信などを行う。
【００１３】
＜ハードウエア構成＞
図２は、画像投影システムを構成する画像投影装置１のハードウエア構成を示す図である。画像投影装置１は、バス１０で相互に接続されているＲＡＭ（Random Access Memory）１１、ＣＰＵ（Central Processing Unit）１２、フラッシュメモリ１３、通信Ｉ／Ｆ（Interface）１４、ＥＥＰＲＯＭ（Electrically Erasable Programmable Read-Only Memory）１５、操作部１６、映像入力部１７、映像出力部１８、ランプ１９を有する構成である。
【００１４】
ＲＡＭ１１は、ＣＰＵ１２によるプログラムの実行のため、プログラムやデータを一時的に読み出し、記憶するために用いられる。ＣＰＵ１２は、プログラムを実行させ、装置全体を制御するために用いられる。フラッシュメモリ１３、ＥＥＰＲＯＭ１５は、画像データや音声データなどの各種データを記憶するために用いられる。通信Ｉ／Ｆ１４は、データ伝送路やネットワークを介して情報処理装置３と画像データのやりとりを行うために用いられる。操作部１６は、ユーザからの操作を受けつけ、画像の明るさ調整、音量調整などの操作を行うために用いられる。映像入力部１７は、通信Ｉ／Ｆを介して接続される情報処理装置３から画像データの入力を受けつけるために用いられる。映像出力部１８は、例えば、液晶表示装置であり、映像入力部１７から受けつけた画像データを出力するために用いられる。ランプ１９は、例えば、ハロゲンランプがあり、光を出し、投影レンズ（図示せず）を介して投影面に映像出力１８より出力された画像データを投影するために用いられる。
【００１５】
図３は、画像投影システムを構成する情報処理装置３のハードウエア構成を示す図である。情報処理装置３は、バス３０で相互に接続されているＣＰＵ３１、ＲＯＭ（Read Only Memory）３２、ＲＡＭ３３、記憶装置３４、表示装置３５、入力装置３６、ネットワークＩ／Ｆ３７、ドライブ装置３８を有する構成である。
【００１６】
ＣＰＵ３１は、プログラムをＲＡＭ３３上に読み出し、プログラムを実行するために用いられる。ＲＯＭ３２は、電源を切っても内部データを保持することができる不揮発性の半導体メモリ（記憶装置）であって、システム設定及びネットワーク関連設定などのデータを格納するために用いられる。ＲＡＭ３３は、上記各種記憶装置から読み出されたプログラム及びデータを一時保持する揮発性の半導体メモリ（記憶装置）であって、ＣＰＵ３１のワークエリア（プログラムやデータが一時的に読み出される記憶エリア）として用いられる。記憶装置３４は、大容量の記憶領域を備えたＨＤＤ（Hard Disk Drive）やＳＳＤ（Solid State Drive）などであり、プログラムや各種データを格納し保持するために用いられる。表示装置３５は、ディスプレイなどであり、各種ウィンドウやデータなどを表示するために用いられる。入力装置３６は、キーボードやマウスなどであり、情報処理装置に各操作信号を入力するのに用いられる。ネットワークＩ／Ｆ３７は、所定のデータ伝送路もしくはネットワークに接続するために用いられる。ドライブ装置３８は、記憶媒体３９からデータを読み出し、あるいは記憶媒体３９にデータを書き込むために用いられる。記録媒体３９は、ＣＤ−ＲＯＭ（Compact Disk - Read Only Memory）、光磁気ディスクなどの様々なタイプの記憶媒体を用いることができる。
【００１７】
＜実施例１＞
図４は、実施例１に係る画像投影装置１の機能構成例を示すブロック図である。画像投影装置１は、電力制御部１０１、電力状態移行判断部１０２、省エネモード移行時間管理部１０３、データ入力検知部１０４、機器操作検知部１０５、通信可否判断部１０６、通信制御部１０７を有する。
【００１８】
電力制御部１０１は、電力状態の切替を制御する。電力状態の切替は、省エネ移行判断部１０２からの電力状態の切替指示を受けてから行う。また、電力状態には、例えば特定の機能を利用制限することで消費電力をおさえる省エネモードや、機能を制限しない通常モードなどがある。
【００１９】
電力状態移行判断部１０２は、画像投影装置１へのデータ入力と、ユーザによる画像投影装置への操作が一定期間ない場合に、省エネモードへ移行するまでの時間を決定する。画像投影装置１へのデータ入力、及びユーザによる画像投影装置１への操作がない場合で、省エネモードへ移行するまでの時間が経過した場合には、省エネモードへ電力状態を切替えるよう電力状態制御部１０１に指示する。
【００２０】
省エネモードへ移行するまでの時間は、画像投影装置１が通信を行える状態にあるか否かの判断にしたがって決定する。画像投影装置１が通信可能な状態にあるか否かの判断は、通信可否判断部１０６にて行われる。省エネモードへ移行するまでの時間は、例えば、画像投影装置１が通信を行えない状態であれば、３分とし、画像投影装置１が通信を行える状態であれば、５分という様に省エネモードへ移行するまでの時間を設定する。
【００２１】
なお、省エネモードへ移行するまでの時間として設定する値は、ユーザから画像投影装置本体の操作による入力を受け付けてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【００２２】
なお、省エネモードへ移行するまでの時間の設定に際して、図５に示すデータテーブルを保持するとよい。
【００２３】
電力状態移行判断部１０２は、データ入力検知部１０４や機器操作検知部１０５が、画像投影装置１へのデータ入力、もしくはユーザによる画像投影装置１への操作を検知した場合、省エネモードから通常モードへの電力状態の切替を電力制御部１０１に指示する。
【００２４】
省エネモード移行時間管理部１０３は、省エネモードへ移行するまでのタイマーを示す省エネモード移行タイマーを管理する。具体的には、電力状態移行判断部１０２にて決定された省エネモードへ移行するまでの時間を省エネモード移行タイマーとして設定する。また、省エネモード移行時間管理部１０３は、省エネモード移行タイマーが満了するまでに、画像投影装置１へのデータ入力、もしくはユーザによる操作を検知したことを他の機能部から確認した場合には省エネモード移行タイマーをリセットする。
【００２５】
データ入力検知部１０４は、データ伝送路、もしくはネットワークを介したデータの入力があるか否かを検知する。データ入力検知部１０４が検知するデータ入力には、データ伝送路もしくはネットワークを介して画像投影装置１に送付される画像データや、ネットワークを介した音量調整などの画像投影装置１への操作に関するデータなどがある。
【００２６】
機器操作検知部１０５は、画像投影装置１の本体キーやリモコンキーでのユーザによる操作を検知する。機器操作検知部１０５で検知する操作は、画像投影装置１の本体キーやリモコンキーの操作による音量の調節や画像の光度調整がある。
【００２７】
通信可否判断部１０６は、画像投影装置１が通信可能な状態にあるか否かを判断する。通信可能な状態にあるか否かの判断は、例えば、ＬＡＮケーブルが画像投影装置１に接続されているか、無線による通信を行うにあたり接続先のアクセスポイントの設定が画像投影装置１になされているか、ネットワーク接続に必要なＩＰアドレスの設定が画像投影装置１になされているかなどを確認し、行われる。
【００２８】
通信制御部１０７は、ネットワークを介したデータの送受信の制御を行う。データの送受信は、有線もしくは無線にて、所定の通信プロトコルを用いて行われる。
【００２９】
図６は、画像投影装置１が省エネモード移行タイマーを設定するまでの流れを示したシーケンス図である。
【００３０】
電力状態移行判断部１０２は、通信が行える状態にあるか否かを通信可否判断部１０６へ問合わせる（ステップＳ１）。通信可否判断部１０６は、通信が行える状態にあるか否かを確認し、確認結果を電力状態移行判断部１０２へ通知する（ステップＳ２）。電力状態移行判断部１０２は、通信可能な状態にあるか否かの情報にしたがって、省エネモードへ移行するまでの時間を決定し、省エネモード移行タイマーとして設定するように、省エネモード移行時間管理部１０３へ要求する（ステップＳ３）。省エネモード移行時間管理部１０３は、電力状態判断部１０２からの指示にしたがい、省エネモード移行タイマーを設定する（ステップＳ４）。
【００３１】
図７は、画像投影装置１が電力状態を省エネモードに切替える処理手順例を示したフローチャートである。
【００３２】
画像投影装置１は、省エネモード移行タイマーを設定した後に、省エネモードに電力状態を切替える処理を開始する（ステップＳ１００）。
【００３３】
省エネモード移行時間管理部１０３は設定した省エネモード移行タイマーを開始する（ステップＳ１０１）。データ入力検知部１０４にて、画像装置３へデータ入力があるか否かの判断を行う（ステップＳ１０２）。この時、データ入力検知部１０４がデータ入力を検知した場合(ステップＳ１０２：ＹＥＳ)、設定したタイマーをリセットし、処理を終了する（ステップＳ１０４、Ｓ１０７）。
【００３４】
データ入力検知部１０４にてデータ入力が検知されない場合（ステップＳ１０２：ＮＯ）、ユーザによる操作があるか否かを判定する（ステップＳ１０３）。この時、ユーザによる操作がある場合（ステップＳ１０３：ＹＥＳ）、Ｓ１０２での処理と同様に、設定したタイマーをリセットし、処理を終了する（ステップＳ１０４、Ｓ１０７）。ユーザによる操作が検知されない場合（ステップＳ１０３：ＮＯ）、設定した省エネモード移行タイマーが満了したか否かを判断する（ステップＳ１０５）。ここで設定した省エネモード移行タイマーが満了していない場合は（ステップＳ１０５：ＮＯ）、Ｓ１０２にもどり、Ｓ１０２からＳ１０４の処理をタイマーが満了するまで繰り返す。
【００３５】
設定した省エネモード移行タイマーが満了した場合（ステップＳ１０５：ＹＥＳ）、電力状態移行判断部１０２は省エネモードへ移行するように電力制御部１０１に要求し、電力制御部１０１は省エネモードへの移行処理を行う（ステップＳ１０６）。省エネモードへの移行処理が完了後、処理を終了する(ステップＳ１０７)。
【００３６】
図８は、画像投影装置１の電力状態が省エネモードから通常モードへの移行する処理手順の一例を示したフローチャートである。
【００３７】
電力状態制御部１０１による省エネモードへの移行処理が完了後に処理を開始する（ステップＳ１２０）。電力状態移行判断部１０２は、データ入力検知部１０４にてデータ入力を検知しているか否かを確認する（ステップＳ１２１）。この時、データ入力検知部１０４がデータ入力を検知している場合（ステップＳ１２１：ＹＥＳ）、電力状態移行判断部１０２は、電力制御部１０１に通常モードへ移行する様に指示し、電力制御部１０１にて電力状態を通常モードへ移行する処理が行われる（ステップＳ１２３）。電力制御部１０１による通常モードへの移行処理が完了後、処理を終了する（ステップＳ１２４）。
【００３８】
データ入力装置検知部１０４にてデータ入力が検知されていない場合（ステップＳ１２１：ＮＯ）、電力状態移行判断部１０２は、機器操作検知部１０５にてユーザによる操作を検知しているか否かの確認を行う（ステップＳ１２２）。この時、ユーザによる操作を機器操作検知部１０５が検知していない場合（ステップＳ１２２：ＮＯ）、電力状態移行判断部１０２は、Ｓ１２１に戻り、Ｓ１２１からの処理を繰り返す。
【００３９】
機器操作検知部１０５がユーザによる操作を検知した場合（ステップＳ１２３：ＹＥＳ）、電力状態移行判断部１０２は、電力制御部１０１に通常モードへ移行する様に指示し、電力制御部１０１にて電力状態を通常モードへ移行する処理が行われる（ステップＳ１２３）。電力制御部１０１による通常モードへの移行処理が完了後、処理を終了する（ステップＳ１２４）。
【００４０】
＜実施例１の１＞
実施例１の１では、画像投影装置１が通信を行える状態にあるか否かに加え、画像投影装置１を操作可能な通信装置がネットワーク上に存在するか否かを示す情報に基づき、画像投影装置１の電力状態を省エネモードへ移行するか否かの判断を行う例を示す。
【００４１】
図９は、実施例１の１における画像投影装置１の機能構成例を示すブロック図である。図４と同一の機能を持つ機能部は図４と同じ符号を付している。また、図４と同一の機能については説明を省略する。
【００４２】
通信装置検索部１１１は、ネットワークを経由して、画像投影装置１を操作する通信装置が存在するか否かを検索する。通信装置の検索は、ＳＳＤＰ（Simple Service Discovery Protocol）、ＳＮＭＰ（Simple Network Management Protocol）などのネットワーク内の通信装置の管理に用いられる通信プロトコルを用いて行う。通信装置の検索は、画像投影装置１から検索要求をブロードキャストし、他の通信装置からの応答を持って判断する方法がある。また、ネットワーク管理装置のような他の通信装置からの検索要求を自装置が受信し、他の通信装置へ応答する方法で行ってもよい。また、他の通信機器からの状態変更を受信する方法などによって行ってもよい。
【００４３】
電力状態移行判断部１０２は、画像投影装置１が通信を行える状態にあるか否かを示す情報と、画像投影装置１を操作可能な通信装置が存在するか否かを示す情報にしたがって、省エネモードへ移行するまでの時間を決定する。例えば、画像投影装置１が通信可能な状態にあり、かつネットワーク上に画像投影装置１を操作可能な通信装置が存在する場合は、５分に設定する。画像投影装置１が通信可能な状態ではあるが、ネットワーク上に画像投影装置１を操作可能な通信装置が存在しない場合、及び画像投影装置１が通信可能な状態にない場合は３分に設定するとよい。
【００４４】
なお、省エネモードへ移行するまでの時間として設定する値は、ユーザから画像投影装置本体の操作による入力を受けつけてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【００４５】
なお、省エネモードへ移行するまでの時間の設定に際して、図１０に示すデータテーブルを保持するとよい。
【００４６】
図１１は、実施例１の１に係る画像投影装置１が省エネモード移行タイマーを設定するまでの流れを示したシーケンス図である。
【００４７】
電力状態移行判断部１０２は、画像投影装置１が通信の行える状態にあるか否かの確認を行う（ステップＳ１１、Ｓ１２）。
【００４８】
画像投影装置１が通信を行える状態である場合、通信装置検索部１１１に対して、ネットワーク上に画像投影装置１を操作可能な通信装置が存在するか否かを検索するよう要求する（ステップＳ１３）。通信装置検索部１１１は、ネットワーク上に画像投影装置１を操作可能な通信装置が存在するか否かの検索を行い、電力状態移行判断部１０２へ検索結果を通知する（ステップＳ１４）。
【００４９】
電力状態移行判断部１０２は、画像投影装置１が通信を行える状態にあるか否かを示す情報と、ネットワーク上に画像投影装置１を操作可能な通信装置が存在するか否かを示す情報にしたがって、省エネモードへ移行するまでの時間を決定する。電力状態移行判断部１０２は、省エネモードへ移行するまでの時間を省エネ移行タイマーとして設定するように省エネモード移行時間管理部１０３に指示する（ステップＳ１５）。省エネモード移行時間管理部１０３は、省エネモードへ移行するまでの時間を省エネ移行タイマーとして設定する（ステップＳ１６）。
【００５０】
実施例１の１に係る、画像投影装置１の電力状態を省エネモードに切替える処理手順は、図７に示した例と同一のため、説明は省略する。
【００５１】
実施例１の１に係る、画像投影装置１が省エネモードから通常モードへ電力状態を切替える際に実行する処理例は、図８と同一のため、説明は省略する。
【００５２】
＜実施例１の２＞
実施例１の２では、画像投影装置１が通信を行える状態にあるか否かを示す情報に加え、省エネモードで実行不能な処理を要求するデータを一定期間内に受信したか否かを示す情報に基づき、省エネモードへ移行するか否かの判断を行う例を示す。
【００５３】
図１２は、実施例１の２における画像投影装置１の機能構成例を示すブロック図である。図４と同一の機能を持つ機能部は図４と同じ符号を付している。また、図４と同一の機能については説明を省略する。
【００５４】
実行要求データ受信判断部１２１は、所定の期間内に、省エネモードでは実行できない処理を要求するデータを受信したか否かを判断する。実行要求データ受信判断部１２１は検知結果を電力状態移行判断部１０２へ通知する。省エネモードでは実行できない処理には、ネットワークを介して行われるリモコン操作（上下左右、メニュ、Ｅｎｔｅｒなど）、音量変更などがある。また、実行要求データ受信判断部１２１が、省エネモードでは実行できない処理を要求するデータを受信したか否かを検知する期間は、ユーザからの操作入力によって検知する期間の入力を受け付けてもよいし、画像投影装置１に検知する期間の初期値を設定しておいてもよい。
【００５５】
電力状態移行判断部１０２は、画像投影装置１が通信可能な状態にあるか否かを示す情報、及び一定の期間内に省エネモードで実行できない処理を要求するデータを受信したか否かを示す情報にしたがって省エネモードへ移行するまでの時間を決定する。例えば、画像投影装置１が通信可能な状態にあり、かつ所定の期間内に省エネモードでは処理できない処理の実行を要求するデータを受信した場合、省エネモードを５分に設定する。画像投影装置１が通信可能な状態であっても、所定の期間内に省エネモードでは処理できない処理の実行を要求するデータを受信していない場合は、タイマーを３分に設定する。また、画像投影装置１が通信可能な状態でない場合も３分に設定する。
【００５６】
なお、省エネモードへ移行するまでの時間として設定する値は、ユーザから画像投影装置本体の操作による入力を受けつけてもよい。また、省エネモードへ移行するまでの時間として設定する値は、情報処理装置３でのキーボードやマウスによるユーザからの入力を受けつけて設定してもよい。また、省エネモードへ移行するまでの時間として設定する値は、画像投影装置１に初期値として設定しておいてもよい。
【００５７】
なお、省エネモードへ移行するまでの時間の設定に際して、図１３に示すデータテーブルを保持するとよい。
【００５８】
図１４は、実施例１の２に係る画像投影装置１が省エネモード移行タイマーを設定するまでの流れを示したシーケンス図である。
【００５９】
電力状態移行判断部１０２は、画像投影装置１が通信の行える状態にあるか否かの確認を行う（ステップＳ２１、Ｓ２２）。
【００６０】
所定の期間内に省エネモードで実行できない処理を要求するデータを受信したか否かを実行要求データ受信判断部１２１に問合せる（ステップＳ２３）。実行要求データ受信判断部１２１は、所定の期間内に省エネモードで実行できない処理を要求するデータを受信したか否かを電力状態移行判断部１０２へ通知する（ステップＳ２４）。
【００６１】
電力状態移行判断部１０２は、実行要求データ受信判断部１２１からの通知にしたがって、省エネモードへ移行するまでの時間を決定する。電力状態移行判断部１０２は、省エネモードへ移行するまでの時間を省エネモード移行タイマーとして設定するよう省エネモード移行時間管理部１０３に要求する（ステップＳ２５）。省エネモード移行時間管理部１０３は、省エネモードへ移行するまでの時間を省エネモード移行タイマーとして設定する（ステップＳ２６）。
【００６２】
実施例１の２に係る、画像投影装置１の電力状態を省エネモードに切替える処理手順は、図７に示した例と同一のため、説明は省略する。
【００６３】
実施例１の２に係る、画像投影装置１が省エネモードから通常モードへ電力状態を切替える際に実行する処理例は、図８と同一のため、説明は省略する。
【００６４】
＜実施例１の３＞
実施例１の３では、画像投影装置１が通信を行える状態にあるか否かに加え、省エネモードで実行できない処理の処理状況を示す情報にしたがって、省エネモードへ移行するまでの時間を設定し、省エネモードへ移行する場合の動作例を示す。
【００６５】
図１５は、実施例１の３における画像投影装置１の機能構成例を示すブロック図である。図４と同一の機能を持つ機能部は図４と同じ符号を付している。また、図４と同一の機能については説明を省略する。
【００６６】
処理判断部１３１は、電力状態が省エネモードでは実行できない処理を実行途中か否かもしくは、電力状態が省エネモードでは実行できない処理を実行する予約があるか否かなど処理状況の判断を行う。なお、省エネモードで実行できない処理で、実行することが予約されている処理があるか否かの判断を行う場合、いつ処理を実行するのかを確認するとよい。省エネモードでは実行できない処理には、データ伝送路もしくはネットワークを介した画像投影装置１へのリモコン操作（上下左右、メニュ、Ｅｎｔｅｒなど）、音量変更などがある。省エネモードで実行できない処理で予約可能なものには、ネットワークを介して定期的に画像投影装置１の状態を管理装置に通知する処理などがある。
【００６７】
電力状態移行判断部１０２は、省エネモードで実行不能な処理の処理状況に関する情報及び画像投影装置１が通信を行える状態にあるか否かを示す情報にしたがい省エネモードへ移行するまでの時間を決定する。例えば、省エネモードで実行不能な処理を実行中の場合は、画像投影装置１が通信を行える状態にあるか否かに関わらず、省エネモードへ移行するまでの時間は設定しない。省エネモードで実行不能な処理を実行していない、かつ画像投影装置１が通信可能な状態にある場合は５分とし、省エネモードで実行不能な処理を実行していない場合、かつ画像投影装置１が通信可能な状態にない場合は３分に設定する。また、省エネモードへ移行するまでの時間は、実行途中の省エネモードで実行できない処理が終了したタイミングで設定してもよい。
【００６８】
予約された省エネモードで実行できない処理がある場合の省エネモードへ移行するまでの時間は、予約された省エネモードで実行できない処理がいつ実行されるかによって設定するとよい。例えば、予約された省エネモードで実行できない処理が開始されるまでの時間を示す閾値を５分としておき、予約された省エネモードで実行できない処理が５分以内に実行される場合には、タイマーを設定しない。予約された省エネモードで実行できない処理が５分よりも後に実行される場合は省エネモードへ移行するまでの時間を３分に設定するとよい。
【００６９】
なお、省エネモードへ移行するまでの時間として設定する値は、ユーザから画像投影装置本体の操作による入力を受けつけてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【００７０】
なお、省エネモードへ移行するまでの時間の設定に際して、図１６、１７に示すデータテーブルを保持するとよい。
【００７１】
図１８は、実施例１の３に係る画像投影装置１が省エネモード移行タイマーを設定するまでの流れを示したシーケンス図である。図１７を用いて移行するまでの流れを説明するが、図５と同一の処理は説明を省略する。画像投影装置１は、一定時間、画像投影装置１へのデータ入力及びユーザからの操作がない場合、省エネモードへ移行するまでの時間を設定する処理を開始する。
【００７２】
電力状態移行判断部１０２は、省エネモードで実行不能な処理が処理途中、もしくは省エネモードで実行不能な処理を行う予定があるか否かを処理判断部１３１に問合せる（ステップＳ３１）。処理判断部１３１は省エネモードで実行不能な処理が処理途中、もしくは省エネモードで実行不能な処理を行う予定があるか否かを電力状態移行判断部１０２へ通知する（ステップＳ３２）。省エネモードで実行不能な処理を行っていない、もしくは省エネモードで実行不能な処理を行う予定にない場合、電力状態移行判断部１０２は画像投影装置１が通信可能な状態にあるか否かを通信可否判断部１０６に問合せる（ステップＳ３３）。通信可否判断部１０６は、画像投影装置１が通信可能な状態にあるか否かを電力状態移行判断部１０２へ通知する（ステップＳ３４）。電力状態移行判断部１０２は設定した省エネモードへ移行するまでの時間を、省エネモード移行タイマーとして設定するように省エネモード移行時間管理部１０３に要求する（ステップＳ３５）。省エネモード移行時間管理部１０３は、省エネモードへ移行するまでの時間を省エネモード移行タイマーとして設定する（ステップＳ３６）。
【００７３】
図１９は、実施例１の３において画像投影装置１が、電力状態を省エネモードに切替える処理手順を示したフローチャートである。
【００７４】
画像投影装置１は、省エネモード移行タイマーを設定した後に、省エネモードに電力状態を切替える処理を開始する（ステップＳ１３０）。
【００７５】
省エネモード移行時間管理部１０３は設定した省エネモード移行タイマーを開始する（ステップＳ１３１）。省エネモード移行時間管理部１０３にて省エネモード移行タイマーを開始後、画像投影装置に対するデータ入力およびユーザからの操作の有無の判定を行う（ステップＳ１３２、Ｓ１３３）。画像投影装置に対するデータ入力およびユーザからの操作がある場合は、省エネモード移行タイマーをリセットし、処理を終了する（ステップＳ１３５、Ｓ１３８）。
【００７６】
画像投影装置に対するデータ入力およびユーザからの操作がない場合、省エネモードで実行できない処理を開始したか否かを判断する（ステップＳ１３４）。省エネモードで実行できない処理が開始された場合（ステップＳ１３４：ＹＥＳ）、省エネモード移行タイマーをリセットし（ステップＳ１３５）、省エネモードへの移行処理を終了する（ステップＳ１３８）。省エネモードで実行できない処理が実行されていない場合（ステップＳ１３４：ＮＯ）、省エネモード移行タイマーが満了したか否かの判断を行う（ステップＳ１３６）。省エネモード移行タイマーが満了した場合（ステップＳ１３６：ＹＥＳ）、電力制御部１０１は電力状態を省エネモードへ移行させる（ステップＳ１３７）。省エネモードへの移行が完了後、省エネモードへの移行処理を終了する（ステップＳ１３８）。
【００７７】
図２０は、実施例１の３に係る画像投影装置１が省エネモードから通常モードへ電力状態を切替える際に実行する処理例を示す図である。電力状態が省エネモードへ移行後にデータ入力およびユーザからの操作の有無の判定を行う（ステップＳ１４１、Ｓ１４２）。データ入力およびユーザからの操作がない場合、処理部１３１は、省エネモードで実行できない処理を開始したか否かの判断を行う（ステップＳ１４３）。省エネモードで実行できない処理を開始した場合（ステップＳ１４３：ＹＥＳ）、電力状態制御部１０１が電力状態を省エネモードから通常モードへ切替える処理を実行する（ステップＳ１４４）。省エネモードで実行できない処理を行っていない場合（ステップＳ１４３：ＮＯ）、Ｓ１４１からＳ１４３の処理を繰り返す。
【００７８】
＜実施例２＞
実施例２では、画像投影装置１で使用されるランプの残り使用可能時間にしたがって、省エネモードへ移行するタイマーを設定する例を示す。
【００７９】
図２１は、実施例２における画像投影装置１の機能構成例を示すブロック図である。図４と同一の機能を持つ機能部は図４と同じ符号を付している。また、図４と同一の機能については説明を省略する。
【００８０】
ランプ使用可能時間算出部２０１は、ランプの使用開始から使用不能になるまでの時間を示す最大使用可能時間と、ランプの使用時間の累計値とに基づきランプの残り使用可能時間を算出する。ランプの残り使用可能時間は、最大使用可能時間から使用時間の累計値を差し引くことにより算出する。ランプ使用可能時間算出部２０１は、算出したランプの残り使用可能時間を電力状態移行判断部１０２へ通知する。
【００８１】
電力状態移行判断部１０２は、ランプ使用可能時間算出部２０１から通知されるランプの残り使用可能時間にしたがって、省エネモードへ移行するまでの時間を決定する。例えば、ランプの残り使用可能時間の閾値を１００時間に設定し、ランプの残り使用可能時間が１００時間以下である場合は省エネモードへ移行するまでの時間を３分に設定し、１００時間を越える場合は省エネモードへ移行するまでの時間を５分に設定するとよい。
【００８２】
なお、省エネモードへ移行するまでの時間として設定する値は、ユーザから画像投影装置本体の操作による入力を受けつけてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【００８３】
なお、省エネモードへ移行するまでの時間の設定に際して、図２２に示すデータテーブルを保持するとよい。
【００８４】
図２３は、実施例２における画像投影装置１が省エネモード移行タイマーするまでの時間を設定するまでの流れを示したシーケンス図である。
【００８５】
電力状態移行判断部１０２は、ランプの残り使用可能時間をランプ使用可能時間算出部２０１へ問合せる（ステップＳ５１）。ランプ使用可能時間算出部２０１は、ランプの残り使用可能時間を算出し、電力状態移行判断部１０２にランプの残り使用可能時間を通知する（ステップＳ５２）。電力状態移行判断部１０２は、ランプの残り使用可能時間に応じて、省エネモードへ移行する時間を決定し、省エネモード移行時間管理部１０３に省エネモード移行タイマーを設定するように要求する（ステップＳ５３）。省エネモード移行時間管理部１０３は、省エネモードへ移行するまでの時間を省エネモード移行タイマーとして設定する（ステップＳ５４）。
【００８６】
実施例２に係る画像投影装置１の電力状態を省エネモードに切替える処理手順は、図７に示した例と同一のため、説明は省略する。
【００８７】
実施例２に係る画像投影装置１が省エネモードから通常モードへ電力状態を切替える際に実行する処理例は、図８と同一のため、説明は省略する。
【００８８】
＜実施例３＞
実施例３では、省エネモードで実行不能な処理の処理回数を所定の時間帯ごとに集計し、その集計結果に基づき省エネモードへ移行するまでの時間を設定し、省エネモードへ移行する場合の動作例を示す。
【００８９】
図２４は、実施例３における画像投影装置１の機能構成例を示すブロック図である。図４と同一の機能を持つ機能部は図４と同じ符号を付している。また、図４と同一の機能については説明を省略する。
【００９０】
動作時間記憶部３０１は、画像投影装置１を時間帯ごとに省エネモードで実行不能な処理の処理回数を集計する。例えば、１時間ごとに時間を区切り、１週間にわたって各時間帯における省エネモードで実行できない処理の処理回数を集計するとよい。動作時間記憶部３０１は、電力状態移行判断部１０２より指定された時間帯の省エネモードで実行不能な処理の処理回数を電力状態移行判断部１０２へ通知する。
【００９１】
電力移行判断部１０２は、所定の時間帯ごとの省エネモードで実行できない処理の処理回数の情報にしたがって、省エネモードへ移行するまでの時間を決定する。例えば、１４時から１５時の時間帯に省エネモードへ移行するまでの時間を決定する処理を行う場合、１４時から１５時の時間帯において、省エネモードで実行できない処理の処理回数が過去１週間に１回以上あれば５分に設定する。一方、１４時から１５時の時間帯において、過去一週間に省エネモードで実行できない処理の処理回数が１回もない場合は３分に設定するとよい。
【００９２】
なお、省エネモードへ移行するまでの時間として設定する値は、ユーザから画像投影装置本体の操作による入力を受けつけてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【００９３】
なお、省エネモードへ移行するまでの時間の設定に際して、図２５に示すデータテーブルを保持するとよい。
【００９４】
図２６は、実施例３における画像投影装置１が省エネモード移行タイマーを設定するまでの流れを示したシーケンス図である。
【００９５】
電力状態移行判断部１０２は、時間帯を指定し、省エネモードで実行不能な処理の処理回数を実行時間記憶手段３０１に問合せる（ステップＳ６１）。実行時間記憶部３０１は、指定された時間帯における省エネモードで実行不能な処理の処理回数を電力状態移行判断部１０２に通知する（ステップＳ６２）。電力状態移行判断部１０２は、実行時間記憶部６０１の集計結果にしたがって、省エネモードへ移行するまでの時間を決定し、省エネモード移行時間管理部１０３に省エネモード移行タイマーとして設定するように要求する（ステップＳ６３）。省エネモード移行時間管理部１０３は指示された省エネモードで移行するまでの時間を省エネモード移行タイマーとして設定する（ステップＳ６４）。
【００９６】
実施例３に係る画像投影装置１の電力状態を省エネモードに切替える処理手順は、図７に示した例と同一のため、説明は省略する。
【００９７】
実施例３に係る画像投影装置１が省エネモードから通常モードへ電力状態を切替える際に実行する処理例は、図８と同一のため、説明は省略する。
【００９８】
＜実施例４＞
実施例４では、複数の省エネモードを用意し、移行先に指定された省エネモードへ移行するまでの時間を設定し、電力状態を移行させる実施例について示す。
【００９９】
図２７は、実施例４における画像投影装置１の機能構成例を示すブロック図である。図４と同一の機能を持つ機能部は図４と同じ符号を付している。画像投影装置１は、一定時間、画像投影装置１へのデータ入力及びユーザからの操作がない場合、省エネモード移行タイマーを設定する処理を開始する。
【０１００】
電力制御部１０１は、省エネモード中において実行できる機能ごとに異なる省エネモードを有している。省エネモード中において実行できる機能は、有線、無線といった利用可能な通信方法ごとに省エネモードを用意しておくとよい。具体的には、有線および無線での通信可能な省エネモード、有線でのみ通信可能な省エネモード、無線のみ通信可能な省エネモード、有線と無線の両方で通信が行えない省エネモードのような省エネモードを用意する。
【０１０１】
電力制御部１０１は、各省エネモードへの移行処理を行う。その際、どの省エネモードへ移行するかは、ユーザからの操作を受けつけて行うことができる。また、画像投影装置１の動作環境にしたがって、移行する省エネモードを自動的に選択してもよい。例えば、画像投影装置１が利用可能な通信方法に基づき、利用可能な通信方法を使用できる省エネモードを自動的に移行先として設定する。
【０１０２】
電力状態移行判断部１０２は、画像投影装置１の動作環境にしたがって、移行先として指定された省エネモードへ移行するまでの時間を設定する。電力状態移行判断部１０２は、どの省エネモードに移行するかを電力制御部１０１に問合せることによって把握する。省エネモードへ移行するまでの時間の設定は、例えば、画像投影装置１が無線による通信を使用可能な状態にある場合、無線による通信がおこなえなくなる電力状態へ移行するまでのタイマーを長く設定し、無線による通信が継続できる電力状態へ移行するまでのタイマーは短く設定する。
【０１０３】
なお、省エネモードへ移行するまでの時間として設定する値は、ユーザから画像投影装置本体の操作による入力を受けつけてもよい。また、省エネモードへ移行するまでの時間として設定する値には、情報処理装置３でのキーボードやマウスによるユーザからの入力を受けつけて設定してもよい。また、省エネモードへ移行するまでの時間として設定する値には、画像投影装置１に初期値として設定しておいてもよい。
【０１０４】
なお、省エネモードへ移行するまでの時間の設定に際して、図２８に示すデータテーブルを保持するとよい。
【０１０５】
図２９は、実施例４における画像投影装置１が省エネモード移行タイマーを設定するまでの流れを示したシーケンス図である。図２１を用いて移行するまでの流れを説明するが、図５と同一の処理は説明を省略する。
【０１０６】
電力状態移行判断部１０２は電力制御部１０１に対して現在の電力状態を問合せる（ステップＳ７１）。電力制御部１０１より、現在の電力状態に関する情報を取得する（ステップＳ７２）。現在の電力状態にしたがって省エネモードへ移行するまでの時間を設定する（ステップＳ７３）。省エネモード移行時間管理部１０３にて省エネモード移行タイマーを設定する（ステップＳ７４）。
【０１０７】
実施例４に係る画像投影装置１の電力状態を省エネモードに切替える処理手順は、図７に示した例と同一のため、説明は省略する。
【０１０８】
実施例４に係る画像投影装置１が省エネモードから通常モードへ電力状態を切替える際に実行する処理例は、図８と同一のため、説明は省略する。
【０１０９】
以上、本発明の好適な実施の形態にて説明した形態は、本発明の範囲を限定するものではなく、データ伝送、もしくはネットワークを介して接続される情報処理装置３が画像投影装置１の電力状態の移行に関する機能を備えてもよい。また、システムを構成する情報処理装置３は複数台でもよい。また、本発明の好適な実施の形態では、画像投影装置をシステムの構成要素としたが、画像投影装置に限定せず、画像表示装置であってもよい。
【０１１０】
また、ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１１１】
１        画像投影装置
２        ネットワーク
３        情報処理装置
１０１    電力制御部
１０２    電力状態移行判断部
１０３    省エネモード移行時間管理部
１０４    データ入力検知部
１０５    機器操作検知部
１０６    通信可否判断部
１０７    通信制御部
１１１    ネットワーク通信端末検知部
１２１    実行要求データ受信判断部
１３１    処理判断部
２０１    ランプ使用可能時間算出部
３０１    実行時間記憶部
【先行技術文献】
【特許文献】
【０１１２】
【特許文献１】特開２０１２−０１０２８９号公報
【図１】
2015141373.tif 000003
【図２】
2015141373.tif 000004
【図３】
2015141373.tif 000005
【図４】
2015141373.tif 000006
【図５】
2015141373.tif 000007
【図６】
2015141373.tif 000008
【図７】
2015141373.tif 000009
【図８】
2015141373.tif 000010
【図９】
2015141373.tif 000011
【図１０】
2015141373.tif 000012
【図１１】
2015141373.tif 000013
【図１２】
2015141373.tif 000014
【図１３】
2015141373.tif 000015
【図１４】
2015141373.tif 000016
【図１５】
2015141373.tif 000017
【図１６】
2015141373.tif 000018
【図１７】
2015141373.tif 000019
【図１８】
2015141373.tif 000020
【図１９】
2015141373.tif 000021
【図２０】
2015141373.tif 000022
【図２１】
2015141373.tif 000023
【図２２】
2015141373.tif 000024
【図２３】
2015141373.tif 000025
【図２４】
2015141373.tif 000026
【図２５】
2015141373.tif 000027
【図２６】
2015141373.tif 000028
【図２７】
2015141373.tif 000029
【図２８】
2015141373.tif 000030
【図２９】
2015141373.tif 000031